(57)【要約】【課題】空気調和機において、エアフィルターのメンテナンスの手間を低減する。【解決手段】エアフィルター２と、エアフィルター２に沿って駆動可能な吸引ノズル３と、エアフィルタ−２と吸引ノズル３所定の位置に支持固定するエアフィルタ−ワク１を有する空気調和機のフィルタ−装置において、エアフィルタ−２にエアフィルタ−ワク１に支持固定するための爪部２ｔを設け、爪部２ｔの裏面に垂直な突起部２ｔｋを設けたことを特徴とするフィルタ−装置を用いることで、エアフィルターの浮きによる吸引ノズル３の引っ掛かりを防止し、エアフィルター２に付着した塵埃を自動でスムーズに確実に吸引し、室外へ排出する空気調和機を提供することができる。【選択図】図５
2006132864.tif 000002
【特許請求の範囲】
【請求項１】
熱交換器を通過する空気の塵埃を除去するエアフィルターと、前記エアフィルターに沿って駆動可能な吸引ノズルと、前記エアフィルタ−と前記吸引ノズルを所定の位置に支持固定するエアフィルタ−ワクを有する空気調和機のフィルタ−装置において、前記エアフィルタ−を前記エアフィルタ−ワクに支持固定するための爪部を前記エアフィルタ−に単数または複数設け、前記爪部の裏面に垂直な突起部を設けたことを特徴とする空気調和機のフィルタ−装置。
【請求項２】
エアフィルタ−ワクにおいて、前記エアフィルタ−の爪部に相対する位置に、前記エアフィルタ−の表面と同一の高さまたは、低くなるようにＬ型の爪受部を設け、さらに前記爪受部へのガイド用の溝部を前記エアフィルタ−の取付挿入方向に沿って設け、前記エアフィルタ−の爪部を前記エアフィルタ−ワクの爪受部の裏面より低い位置に設けたことを特徴とする請求項１記載の空気調和機のフィルタ−装置。
【発明の詳細な説明】
【技術分野】
【０００１】
本発明は、フィルターの清掃を自動的に行うようにした空気調和機のフィルタ−装置に関するものである。
【背景技術】
【０００２】
従来の空気調和機のフィルター装置は、熱交換器の前面に、空気調和機の本体内部へ埃が侵入することを防ぐためのエアフィルターが設けられており、このエアフィルターは付着した塵埃を手で清掃できるように着脱自在に構成されている。こうした構成でのフィルター装置は頻繁なメンテナンスが必要となるだけでなく、メンテナンスが行われるまでの間にはエアフィルターが徐々に目詰まりしていき、その結果、熱交換器を通過する風量が低下し、空調能力が低下して消費電力の増大につながることとなる。
【０００３】
このため、フィルターのメンテナンスの手間を低減する目的で、特許文献１のようにエアフィルターに付着した塵埃をブラシにて定期的に清掃する自動清掃装置が考案されている。
【特許文献１】特開２００１−９９４７９号公報
【発明の開示】
【発明が解決しようとする課題】
【０００４】
しかしながら、上記特許文献1に記載の構成ではブラシとエアフィルターがお互いにこすられるためブラシに塵埃が絡みついたり、ブラシが摩耗もしくは変形して機能低下するなどの問題があった。また、ある程度の時間が経過したらブラシで掻き落として集めた塵埃を処理しなくてはならずメンテナンスの手間が大幅に軽減されるものではなかった。こうした観点からエアフィルターの自動清掃装置としてはフィルターに付着した塵埃を吸引ノズルにて吸引清掃し、吸引された塵埃を集塵装置に集塵もしくは室外へ排出する清掃方法が好ましい。
【０００５】
本発明は、前記従来の課題を解決するもので、エアフィルター全面の自動吸引清掃を行うことが可能な空気調和機のフィルター装置において、エアフィルタ−の着脱操作を確実に行なえることを目的とするものである。
【課題を解決するための手段】
【０００６】
前記課題を解決するため本発明は、熱交換器を通過する空気の塵埃を除去するエアフィルターと、前記エアフィルターに沿って駆動可能な吸引ノズルと、前記エアフィルタ−と前記吸引ノズルを所定の位置に支持固定するエアフィルタ−ワクを有する空気調和機のフィルタ−装置において、前記エアフィルタ−を前記エアフィルタ−ワクに支持固定するための爪部を前記エアフィルタ−に単数または複数設け、前記爪部の裏面に垂直な突起部を設けたことを特徴とするものである。
【０００７】
上記の構成によって、前記エアフィルタ−の着脱操作の際に、前記エアフィルタ−ワクへ確実に取り付けられていなと前記エアフィルタ−の爪部裏面の突起部が、前記エアフィルタ−ワクの爪格納部の表面に当たり、前記エアフィルタ−が大きく浮き、取付異常を視覚的に知らせることができる。これによって、前記エアフィルタ−の取付異常に気づかないまま運転されることを防止することが可能となる。
【０００８】
また、第２の発明によれば、前記エアフィルタ−ワクにおいて、前記エアフィルタ−の爪部に相対する位置に、前記エアフィルタ−の表面と同一の高さまたは、低くなるように
Ｌ型の爪受部を設け、さらに前記爪受部へのガイド用の溝部を前記エアフィルタ−の取付挿入方向に沿って設け、前記エアフィルタ−の爪部を前記エアフィルタ−ワクの爪受部の裏面より低い位置に設けたことを特徴とするものである。
【０００９】
上記の構成によって、前記エアフィルターの爪部を前記フィルタ−ワクの溝部の沿って所定の位置まで挿入していくことで、前記エアフィルタ−の爪部が前記フィルタ−ワクの爪受部に確実に格納され、前記エアフィルタ−と前記吸引ノズルとの間に一定の隙間を保ったまま、前記エアフィルタ−が前記エアフィルタ−ワクに取り付けられる。前記エアフィルタ−を前記フィルタ−ワクの溝部に沿わさずに取付けようとし、前記エアフィルタ−の爪部が所定の位置に格納されなかった場合は、前記エアフィルタ−の爪部裏の突起部が前記フィルタ−ワクの爪受部に当たり、前記エアフィルタ−が大きく浮き、取付異常を視覚的に知らせることができる。これによって、前記エアフィルタ−の取付異常に気づかないまま運転されることを防止し、前記吸引ノズルが前記エアフィルタ−に引っ掛かることなく、前記吸引ノズルがスム−ズに駆動し、付着した塵埃を確実に自動吸引清掃することが可能となる。
【発明の効果】
【００１０】
本発明の空気調和機のフィルタ−装置は、エアフィルタ−の取付異常が気づかれないまま運転されることを防止し、前記エアフィルタ−に付着した塵埃を吸引ノズルによりスム−ズに確実に自動吸引清掃することができ、この種のフィルタ−装置の構成を可能にするものである。
【発明を実施するための最良の形態】
【００１１】
第１の発明は、熱交換器を通過する空気の塵埃を除去するエアフィルターと、前記エアフィルターに沿って駆動可能な吸引ノズルと、前記エアフィルタ−と前記吸引ノズルを所定の位置に支持固定するエアフィルタ−ワクを有する空気調和機のフィルタ−装置において、前記エアフィルタ−を前記エアフィルタ−ワクに支持固定するための爪部を前記エアフィルタ−に単数または複数設け、前記爪部の裏面に垂直な突起部を設けたことを特徴とするもので、これによって、前記エアフィルタ−の着脱操作の際に、前記エアフィルタ−ワクへ確実に取り付けられていなと前記エアフィルタ−の爪部裏面の突起部が、前記エアフィルタ−ワクの爪格納部の表面に当たり、前記エアフィルタ−が大きく浮き、取付異常を視覚的に知らせることができる。これによって、前記エアフィルタ−の取付異常に気づかないまま運転されることを防止することが可能となる。
【００１２】
第２の発明は、前記エアフィルタ−ワクにおいて、前記エアフィルタ−の爪部に相対する位置に、前記エアフィルタ−の表面と同一の高さまたは、低くなるようにＬ型の爪受部を設け、さらに前記爪受部へのガイド用の溝部を前記エアフィルタ−の取付挿入方向に沿って設け、前記エアフィルタ−の爪部を前記エアフィルタ−ワクの爪受部の裏面より低い位置に設けたことを特徴とするもので、これによって、前記エアフィルターの爪部をを前記フィルタ−ワクの溝部に沿って所定の位置まで挿入していくことで、前記エアフィルタ−の爪部が前記フィルタ−ワクの爪受部に確実に格納され、前記エアフィルタ−と前記吸引ノズルとの間に一定の隙間を保ったまま、前記エアフィルタ−が前記エアフィルタ−ワクに取り付けられる。前記エアフィルタ−を前記フィルタ−ワクの溝部に沿わさずに取付けようとし、前記エアフィルタ−の爪部が所定の位置に格納されなかった場合は、前記エアフィルタ−の爪部裏の突起部が前記フィルタ−ワクの爪受部に当たり、前記エアフィルタ−が大きく浮き、取付異常を視覚的に知らせることができる。これによって、前記エアフィルタ−の取付異常に気づかないまま運転されることを防止し、前記吸引ノズルが前記エアフィルタ−に引っ掛かることなく、前記吸引ノズルがスム−ズに駆動し、付着した塵埃を確実に自動吸引清掃することが可能となる。
【００１３】
以下、本発明の実施の形態について、図面を参照しながら説明する。なお、この実施の形態によって本発明が限定されるものではない。
【００１４】
（実施の形態１）
図1〜図７は本発明の実施の形態１における空気調和機のフィルター装置の構成例を示した図である。
【００１５】
図1は本発明の実施の形態1が適用される空気調和機の室内ユニットを示す斜視図である。図２において熱交換器を通過する空気の塵埃を除去するエアフィルター２は、フィルターワク１に支持固定され、エアフィルター２の表面に沿って移動可能な吸引ノズル３が設けられる。吸引ノズル３はフィルターワク１の上下端に設置されたガイドレール４により、エアフィルター２と極めて狭い間隙を保って円滑に左右に移動することができる。エアフィルター上に付着した塵埃はこの吸引ノズル３より吸引される。さらに、吸引ノズル３には吸引ダクト５が連結され、さらに吸引ダクト５は吸引装置６に連結される。吸引ダクト５は吸引ノズル３の移動に差し支えないように折り曲げ可能なダクトで形成される。さらに、吸引装置６には排気ダクト７が連結され、室外へ引き回される。吸引ノズル３により吸引されたエアフィルターの塵埃は吸引ダクト５、吸引装置６、排気ダクト７を経由して室外へ排出される。
【００１６】
また図３に示すように、吸引ノズル３は、吸引した風の流通路を構成するノズル８と、ノズル８を囲むように設けられたフィルム９と、フィルム９を支持して駆動力を伝えるギヤ１４と、フィルム９を支持して円滑に駆動させるためのローラー１５ａ、１５ｂ、１５ｃから構成される。ノズル８のエアフィルター側の面には、エアフィルター２の縦長さに相当する長さでスリット状のノズル開口部１０が設けてある。一方、フィルム９はループ状に形成され、ノズル開口部１０を覆うようにノズル８の外周に巻き付けられ、エアフィルター側の面は、ノズル開口部１０に相当する開口部１６が設けられ、フィルムガイド１７で支持されている。フィルム９にはスリット状の吸引孔１１が設けてあり、吸引孔１１の位置がノズル開口部１０に相対する位置にフィルム９は取り付けられている。フィルム９の両端には等間隔の駆動穴が設けられており、ステッピングモーター１３を連結したギヤ１４が、駆動穴に噛み合わさることによってフィルム９は上下方向のいずれにも自在に駆動できるようになっている。なお、図３は図２のＡ−Ａ断面図である。
【００１７】
以上のような構成により、吸引装置６によって吸引される風量は吸引孔１１に絞られて集中することとなるので、少ない風量でも吸引孔１１部分では強い風速を発生させることが可能となる。すなわち、小出力で強い吸引力を発揮することが可能となる。この強い吸引力で吸引されたエアフィルター上の塵埃は、吸引孔１１からノズル開口部１０を経てノズル８内部に入り、さらに吸引ダクト５、吸引装置６、排気ダクト７を経由して室外へ排出される。そして、吸引ノズル３を左右に駆動する毎に、フィルム９に設けた吸引孔１１を可変させることで、エアフィルター全面を吸引清掃することが可能となる。
【００１８】
このとき、吸引清掃を確実に行うには、吸引ノズル３とエアフィルター２との隙間を一定に保つことが重要となる。エアフィルター２は、エアフィルタ−ワク１へ着脱可能に構成されているため、図４に示すように、エアフィルタ−２が確実にエアフィルタ−ワク１へ取り付けされていないと一定の隙間を保てず、またエアフィルタ−２の浮きによって、吸引ノズル３がエアフィルタ−２へ引っ掛かり、吸引ノズル３の駆動を妨げてしまう。
【００１９】
そこで、図５、６に示すように、エアフィルタ−２をエアフィルタ−ワク１に支持固定するための爪部２ｔをエアフィルタ−２に単数または複数設け、爪部２ｔの裏面に垂直な突起部２ｔｋを設けたことを特徴とするもので、これにより、図７に示すように、エアフィルタ−２の着脱操作の際に、エアフィルタ−ワクへ確実に取り付けられていなと前記エ
アフィルタ−の爪部２ｔ裏面の突起部２ｔｋが、前記エアフィルタ−ワク１の爪格納部の表面１ａに当たり、エアフィルタ−２が大きく浮き、取付異常を視覚的に知らせることができる。これによって、エアフィルタ−２の取付異常に気づかないまま運転されることを防止することが可能となる。
【００２０】
（実施の形態２）
図８〜図１０は本発明の実施の形態２における空気調和機のフィルター装置の構成例を示した図である。
【００２１】
図８、９に示すように、エアフィルタ−ワク１において、エアフィルタ−の爪部２ｔに相対する位置に、エアフィルタ−２の表面と同一の高さまたは、低くなるようにＬ型の爪受部１ｔを設け、さらに爪受部1ｔへのガイド用の溝部１ｍをエアフィルタ−２の取付挿入方向に沿って設け、エアフィルタ−の爪部２ｔをエアフィルタ−ワクの爪受部１ｔの裏面より低い位置に設けたことを特徴とするもので、これにより、エアフィルターの爪部２ｔをフィルタ−ワクの溝部１ｍに沿って所定の位置まで挿入していくことで、エアフィルタ−の爪部２ｔがフィルタ−ワクの爪受部１ｔに確実に格納され、エアフィルタ−２と吸引ノズル３との間に一定の隙間を保ったまま、エアフィルタ−２がエアフィルタ−ワク１に取り付けられる。エアフィルタ−２をフィルタ−ワクの溝部１ｍに沿わさずに取付けようとし、エアフィルタ−の爪部２ｔが所定の位置に格納されなかった場合は、図１０に示すように、エアフィルタ−の爪部２ｔ裏の突起部２ｔｋがフィルタ−ワクの爪受部１ｔに当たり、エアフィルタ−２が大きく浮き、取付異常を視覚的に知らせることができる。これによって、エアフィルタ−２の取付異常に気づかないまま運転されることを防止し、吸引ノズル３がエアフィルタ−２に引っ掛かることなく、吸引ノズル３がスム−ズに駆動し、付着した塵埃を確実に自動吸引清掃することが可能となる。
【産業上の利用可能性】
【００２２】
以上のように、本発明の空気調和機のフィルタ−装置は、エアフィルタ−の取付異常が気づかれないまま運転されることを防止し、前記エアフィルタ−に付着した塵埃を吸引ノズルによりスム−ズに確実に自動吸引清掃することができ、この種のフィルタ−装置の構成を可能にすることが可能となるので、各種のフィルター装置の用途にも適用できるものである。
【図面の簡単な説明】
【００２３】
【図１】本発明の実施の形態１における空気調和機の室内ユニットの斜視図
【図２】本発明の実施の形態１における空気調和機のフィルター装置の構成を示した斜視図
【図３】本発明の実施の形態１における吸引ノズルの断面図
【図４】本発明の実施の形態1における空気調和機のフィルター装置の構成を示した斜視図
【図５】本発明の実施の形態１におけるエアフィルターの構成を示した斜視図
【図６】本発明の実施の形態１におけるエアフィルターとエアフィルターワクの構成を示した断面図
【図７】本発明の実施の形態１におけるエアフィルターとエアフィルターワクの構成を示した断面図
【図８】本発明の実施の形態２におけるエアフィルターの構成を示した斜視図
【図９】本発明の実施の形態２におけるエアフィルターとエアフィルターワクの構成を示した断面図
【図１０】本発明の実施の形態２におけるエアフィルターとエアフィルターワクの構成を示した断面図
【符号の説明】
【００２４】
１  フィルターワク
１ｔ  フィルタ−ワク爪受部
１ｍ  フィルタ−ワク溝部
２  エアフィルター
２ｔ  エアフィルター爪部
３  吸引ノズル
４  ガイドレール
５  吸引ダクト
６  吸引装置
７  排気ダクト
８  ノズル
９  フィルム
１０  ノズル開口部
１１  吸引孔
１２  駆動穴
１３  ステッピングモーター
１４  ギヤ
１５ａ  ローラー
１５ｂ  ローラー
１５ｃ  ローラー
１６  開口部
１７  フィルムガイド
【図１】
2006132864.tif 000003
【図２】
2006132864.tif 000004
【図３】
2006132864.tif 000005
【図４】
2006132864.tif 000006
【図５】
2006132864.tif 000007
【図６】
2006132864.tif 000008
【図７】
2006132864.tif 000009
【図８】
2006132864.tif 000010
【図９】
2006132864.tif 000011
【図１０】
2006132864.tif 000012